(57)【要約】【課題】庫内照明装置の着脱が容易で且つ視認性を向上した冷蔵庫を得ることを目的とする。【解決手段】冷蔵庫本体に形成された貯蔵室と、該貯蔵室内の上部に設けられた発光ダイオードと、を備えた冷蔵庫において、前記発光ダイオードが複数実装されて奥行き方向に前後に設けられた前列実装基板及び後列実装基板と、前記貯蔵室の上面に凹形状に形成されて前記前列実装基板及び前記後列実装基板を収納する基盤収納部と、該基盤収納部の下方開口を覆うカバーと、前記基板収納部内の上面に設けられ該上面との間に保持部を有し且つ対向した開口部を有する前側係止手段及び後側係止手段と、を備え、前記前列実装基板及び前記後列実装基板は前記前側係止手段及び前記後側係止手段の夫々の前記開口部から前記保持部に夫々挿入されて固定されることを特徴とする。【選択図】  図７
2011027322.tif 000002
【特許請求の範囲】
【請求項１】
冷蔵庫本体に形成された貯蔵室と、該貯蔵室内の上部に設けられた発光ダイオードと、を備えた冷蔵庫において、
前記発光ダイオードが複数実装されて奥行き方向に前後に設けられた前列実装基板及び後列実装基板と、
前記貯蔵室の上面に凹形状に形成されて前記前列実装基板及び前記後列実装基板を収納する基盤収納部と、
該基盤収納部の下方開口を覆うカバーと、
前記基板収納部内の上面に設けられ該上面との間に保持部を有し且つ対向した開口部を有する前側係止手段及び後側係止手段と、を備え、
前記前列実装基板及び前記後列実装基板は前記前側係止手段及び前記後側係止手段の夫々の前記開口部から前記保持部に夫々挿入されて固定されることを特徴とする冷蔵庫。
【請求項２】
冷蔵庫本体に形成された貯蔵室と、該貯蔵室内の上部に設けられた発光ダイオードと、を備えた冷蔵庫において、
前記発光ダイオードが複数実装されて奥行き方向に前後に設けられた前列実装基板及び後列実装基板と、
前記貯蔵室の上面に凹形状に形成されて前記前列実装基板及び前記後列実装基板を収納する基盤収納部と、
該基盤収納部の下方開口を覆うカバーと、
前記基板収納部内の上面に設けられ該上面との間に保持部を有し且つ対向した開口部を有するＬ字状の前側弾性爪及び後側弾性爪と、を備え、
前記前列実装基板は前記前側弾性爪の弾性力に抗して前記開口部から前記保持部に挿入されて固定され、前記後列実装基板は前記後側弾性爪の弾性力に抗して前記開口部から前記保持部に挿入されて固定されることを特徴とする冷蔵庫。
【請求項３】
請求項１又は２において、
前記貯蔵室の前方開口を開閉する扉と、
該扉の前記貯蔵室内側に上下方向に複数設けられて食品を収納する扉ポケットと、
前記貯蔵室の上下方向に複数設けられて食品を載置する庫内棚と、を有し、
前記前列実装基板に実装された前記発光ダイオードは前記庫内棚の前方端と前記扉ポケットの端面との隙間の上方又は該隙間よりも前方に位置するように設けられ、
前記後列実装基板に実装された前記発光ダイオードは該発光ダイオードの照射角内に最上段の前記庫内棚の後方端が含まれる位置に設けられたことを特徴とする冷蔵庫。
【請求項４】
請求項１又は２において、
前記前列実装基板側に設けられた前側コネクタと前記後列実装基板側に設けられた後側コネクタとが互いに向かい合うように配置されて、前記前列実装基板及び前記後列実装基板を一回路で結線したことを特徴とする冷蔵庫。
【発明の詳細な説明】
【技術分野】
【０００１】
本発明は、冷蔵庫に関する。
【背景技術】
【０００２】
従来、冷蔵庫に設けられた貯蔵空間である冷蔵室は、容積も大きく使用頻度が高いことから、使用者の視認性を向上すべく冷蔵室内全域を明るく照らし出すために、庫内照明装置が分散して複数設けられていた。しかし、この構成では、省電力の面から不利であり、原価高となっていた。
【０００３】
そこで、近年の冷蔵庫では、庫内照明装置として消費電力量の少ない発光ダイオード（Light Emitting Diode。以下「ＬＥＤ」という）を採用している。ＬＥＤを備えた冷蔵庫の従来技術として、特許文献１及び２がある。
【０００４】
特許文献１には、冷蔵室の天井面の前後方向において中央より手前側に庫内照明灯が配置された構成が記載されている。
【０００５】
特許文献２には、発光ダイオードを実装する基板を、庫内天井面の凹部内に庫内奥行き寸法の１／２よりも手前に設置した構成が記載されている。また、庫内天井壁の凹部に埋め込まれた外枠にスペーサーを備え、当該スペーサーを介して発光ダイオードの実装基板が保持された構成が記載されている。
【先行技術文献】
【特許文献】
【０００６】
【特許文献１】特開２００７−３０３８号公報
【特許文献２】特開２００８−３９３５５号公報
【発明の概要】
【発明が解決しようとする課題】
【０００７】
しかしながら、特許文献１に記載の構成では、庫内天井の中央より手前側から照射される光が、庫内棚の前方に載置された食品により遮られて庫内棚の奥方向まで届きにくく、庫内全体を効率よく明るくすることはできない、という課題があった。
【０００８】
次に、特許文献２に記載の構成では、特許文献１と同様に、庫内天井面の中央よりも手前側に照明装置が位置しており、庫内棚の前方に載置された食品により遮られて庫内棚の奥方向まで光が届きにくい、という課題があった。
【０００９】
また、スペーサーは実装基板を固定するために一定の高さが必要であり、照明装置全体の高さ寸法（厚み）が大きくなり、庫内収納容積が減少する、という課題があった。
【００１０】
また、スペーサーをねじ固定用のボス部とし、ねじ止めにより実装基板をスペーサーに固定している場合、ねじ締め付け時のトルクにより実装基板に応力が加わり、変形や損傷するおそれがある、という課題があった。
【００１１】
上記課題に鑑みて、本発明は、庫内照明装置の着脱が容易で且つ視認性を向上した冷蔵庫を得ることを目的とする。
【課題を解決するための手段】
【００１２】
上記課題を解決するために、本発明は、冷蔵庫本体に形成された貯蔵室と、該貯蔵室内の上部に設けられた発光ダイオードと、を備えた冷蔵庫において、前記発光ダイオードが複数実装されて奥行き方向に前後に設けられた前列実装基板及び後列実装基板と、前記貯蔵室の上面に凹形状に形成されて前記前列実装基板及び前記後列実装基板を収納する基盤収納部と、該基盤収納部の下方開口を覆うカバーと、前記基板収納部内の上面に設けられ該上面との間に保持部を有し且つ対向した開口部を有する前側係止手段及び後側係止手段と、を備え、前記前列実装基板及び前記後列実装基板は前記前側係止手段及び前記後側係止手段の夫々の前記開口部から前記保持部に夫々挿入されて固定されることを特徴とする。
【００１３】
また、冷蔵庫本体に形成された貯蔵室と、該貯蔵室内の上部に設けられた発光ダイオードと、を備えた冷蔵庫において、前記発光ダイオードが複数実装されて奥行き方向に前後に設けられた前列実装基板及び後列実装基板と、前記貯蔵室の上面に凹形状に形成されて前記前列実装基板及び前記後列実装基板を収納する基盤収納部と、該基盤収納部の下方開口を覆うカバーと、前記基板収納部内の上面に設けられ該上面との間に保持部を有し且つ対向した開口部を有するＬ字状の前側弾性爪及び後側弾性爪と、を備え、前記前列実装基板は前記前側弾性爪の弾性力に抗して前記開口部から前記保持部に挿入されて固定され、前記後列実装基板は前記後側弾性爪の弾性力に抗して前記開口部から前記保持部に挿入されて固定されることを特徴とする。
【００１４】
また、前記貯蔵室の前方開口を開閉する扉と、該扉の前記貯蔵室内側に上下方向に複数設けられて食品を収納する扉ポケットと、前記貯蔵室の上下方向に複数設けられて食品を載置する庫内棚と、を有し、前記前列実装基板に実装された前記発光ダイオードは前記庫内棚の前方端と前記扉ポケットの端面との隙間の上方又は該隙間よりも前方に位置するように設けられ、前記後列実装基板に実装された前記発光ダイオードは該発光ダイオードの照射角内に最上段の前記庫内棚の後方端が含まれる位置に設けられたことを特徴とする。
【００１５】
また、前記前列実装基板側に設けられた前側コネクタと前記後列実装基板側に設けられた後側コネクタとが互いに向かい合うように配置されて、前記前列実装基板及び前記後列実装基板を一回路で結線したことを特徴とする。
【発明の効果】
【００１６】
以上のように本発明は、発光ダイオードを実装した基板を収納した庫内照明装置の高さ寸法及び奥行き寸法を小さくしつつ、貯蔵室内の全体に満遍なく光を照射することができる。
【００１７】
また、発光ダイオードを実装した基板を容易に取り付け，取り外しすることができ、更に、前後に分割した基板間を結線するコード長さを短縮し、誤配線を抑制することができ、装置のメンテナンス性を向上することができる。
【図面の簡単な説明】
【００１８】
【図１】本発明の実施例１に係る冷蔵庫の正面図である。
【図２】図１の冷蔵庫の扉を除いた図であり、庫内照明装置の幅方向の照射範囲を示す図である。
【図３】図１のＡ−Ａ縦断面図であり、庫内照明装置の奥行方向の照射範囲を示す図である。
【図４】本発明の実施例２に係る冷蔵庫の要部側断面図である。
【図５】本発明の実施例３に係る庫内照明装置を構成する発光基板の説明図である。
【図６】本発明の実施例４に係る庫内照明装置を構成する発光基板の説明図である。
【図７】本発明の実施例５に係る実装基板の取り付け構造を説明する図である。
【図８】図７に示す庫内照明装置から照射カバーを外し、矢印Ｐ方向より見た図である。
【図９】図７に示す弾性爪の詳細構造を示す図である。
【発明を実施するための形態】
【００１９】
以下、図面を参照しながら本発明の実施例について説明する。
【実施例１】
【００２０】
図１は、本発明の実施例１に係る冷蔵庫の正面図である。図２は、図１の冷蔵庫の扉を除いた図であり、庫内照明装置の幅方向の照射範囲を示す図である。図３は、図１のＡ−Ａ縦断面図であり、庫内照明装置の奥行方向の照射範囲を示す図である。
【００２１】
図１から図３において、冷蔵庫本体１は、上から冷蔵室２，第二の冷凍室３，冷凍室４，野菜室５を有している。冷蔵室２の前方開口には、左側冷蔵室扉６ａ及び右側冷蔵室扉６ｂを備え、夫々上下のヒンジを介して回転することで冷蔵室２を開閉するフレンチドアを構成する。第二の冷凍室３，冷凍室４及び野菜室５の夫々の前方開口には、夫々の開口を開閉自在に第二の冷凍室扉７，冷凍室扉８及び野菜室９を備えている。なお、第二の冷凍室扉７，冷凍室扉８及び野菜室扉６は、前後に移動する引き出し式の扉である。
【００２２】
冷蔵室２内の上下方向に複数段設置された庫内棚１０は、透明な樹脂材で構成されている。これにより、食品が庫内棚１０上に収納設置されていないときには、後述する庫内照明の光を上面から下面方向に透過する。
【００２３】
左側冷蔵室扉６ａ及び右側冷蔵室扉６ｂの冷蔵室２側には、庫内棚１０と向かい合うように、上下方向に扉ポケット１１を複数段設けている。この扉ポケット１１も、透明な樹脂材で構成されており、後述する庫内照明の光を一側面から他側面に透過する。
【００２４】
図３に示す符号Ｇは、庫内棚先端１０ａと扉ポケット端面１１ａに設けられた隙間を示す。この隙間Ｇは、左側冷蔵室扉６ａ又は右側冷蔵室扉６ｂを開閉した場合、扉ポケット１１及びこの扉ポケット１１内の収納物（缶或いは瓶等）が、庫内棚先端１０ａに当たるのを防止するために設けられた隙間である。
【００２５】
次に、冷蔵室２の庫内背面には、冷蔵室２に導入された冷気で冷蔵室２全域を冷却するように冷気を案内する冷蔵室パネル１２を備える。冷蔵室パネル１２は、図３に示す如く、冷気吹き出し口１３を上下方向に複数有している。これにより、夫々の庫内棚１０の高さに対応して冷気が吹き出され、冷却効率を向上することができる。
【００２６】
冷蔵室パネル１２の前面には、反射部材１４が設けられる。反射部材１４は、冷気吹き出し口１３に対応する箇所に冷気吹き出し口１４ａを有している。この反射部材１４は、例えば、薄板状のアルミニウム，ステンレス，樹脂等の熱伝導性の高い材質で構成される。また、反射部材１４の表面は、光を反射する役目を果たすと共に、冷蔵室２内の冷却にも寄与する。そして、反射部材１４の幅方向の寸法は、後述する庫内照明装置１５の幅寸法よりも小さくし、上下方向の寸法は、庫内棚１０の中央寄りの二段分に渡って設けられている。本実施例の場合、二段目と三段目の庫内棚１０に渡って、庫内棚１０の幅方向の略中央に位置している。
【００２７】
庫内照明装置１５は、発光ダイオード１６を実装した実装基板１７とカバー１８等より構成されている。この庫内照明装置１５は、冷蔵室２の天井面１９を断熱材２０側に窪ませた凹所に、図３に示す如く取り付けられている。
【００２８】
発光ダイオード１６は、実装基板１７に天井面１９の横幅方向に四個を４５mmピッチで、且つ、天井面１９奥行き方向に二列配置されている。すなわち、前列１６ａと後列１６ｂとの合計で８個設けられている。
【００２９】
なお、発光ダイオード１６は、実装基板１７の面の奥行き方向に二列以上配置されていればよく、実装基板１７の幅方向に設けられる個数については特に限定しない。また、本実施例における発光ダイオード１６は、照射角の大きいもの、例えば約１２０度である。
【００３０】
前列１６ａの発光ダイオード１６は、隙間Ｇに対向するか、隙間Ｇよりも前方に位置するように取り付けられ、図３の如く冷蔵室２の内部上方に位置する。
【００３１】
後列１６ｂの発光ダイオード１６は、庫内棚１０の上方に位置し、最上部の庫内棚１０の後部に直接光が送り届けられる。換言すると、照射角１２０度の発光ダイオード１６の光が、庫内棚１０の最後部に届かせるためには、後列１６ｂの発光ダイオード１６の位置、或いは庫内棚１０の奥行き寸法が問題となる。本実施例においては、発光ダイオード１６の照射角、庫内棚１０の奥行き寸法及び後列１６ｂ側の発光ダイオード１６の位置関係は、庫内棚１０の最後端まで適切に照射させるように備えたものである。
【００３２】
以上は、庫内棚１０の奥行方向を庫内照明装置１５で照射する例で説明したが、次に、図２を参照しながら庫内棚１０の左右方向を照射する例を説明する。
【００３３】
本実施例の冷蔵庫は、幅Ｗ寸法が６５０mm以上、奥行きＤ寸法が６００mm以上である。そこで、最上段の庫内棚１０全域に光を届けるために、図２に示す如く庫内照明装置１５は、上記所定の幅を有し（実装基板１７に天井面１９の横幅方向に四個を４５mmピッチで配置）、両端の発光ダイオード１６から照射される光は、庫内棚１０の幅方向のそれぞれの端部に届くよう構成されている。このことにより、最上段の庫内棚１０両幅端に載置された食品にも光が当たり、視認性を高めることができる。
【００３４】
次に、庫内棚１０の上から二段目，三段目の奥側に収納されている食品を照らし出す例について説明する。
【００３５】
従来の冷蔵庫では、最上段の庫内棚１０に載置された食品と、二段目，三段目の庫内棚の前方に載置された食品によって、庫内照明の光が遮られてしまう。すると、庫内棚の後方が暗くなり、視認性が低下するおそれがある。また、二段目，三段目の庫内棚に収納された食品の背部（冷蔵室の前面より見て）は、光が当たらない箇所であり、庫内の奥側が暗くなる。
【００３６】
そこで、本実施例において、庫内照明装置１５は、天井面１９に設けられており、庫内棚１０の中央付近に載置された食品には、上方から光が照射される。一方、庫内棚１０の左右両側に載置された食品は、上方のみならず、側方に対しても光が照射されるので、中央に載置された食品よりも視覚的に明るく見える。
【００３７】
また、本実施例の冷蔵庫の場合、庫内照明装置１５より照射される光は、収納食品によって完全に遮断されず、食品間を通して、二段目，三段目の奥側に設けられた反射部材１４に到達する。到達した光は、反射部材１４で反射されて二段目，三段目の奥側に設けられた食品を庫内背面側から照らす構成である。
【００３８】
すなわち、本実施例によれば、収納食品の背部からも照らし出すので、食品全体が照らされて視認性が向上する。このことにより、使用者が二段目，三段目の庫内棚１０の奥側に収納した食品を忘れてしまうことを防止して、貯蔵食品の利用促進に寄与するものである。
【００３９】
また、反射部材１４の幅方向の寸法は、庫内照明装置１５の幅方向の寸法よりも小さい。これは、反射部材１４と庫内照明装置１５の幅寸法を同等にすると、照射される光が反射部材１４の全幅で反射され庫内が均等に明るくなり、視覚的に庫内中央部が暗く見えてしまうからである。
【００４０】
つまり、庫内天井の幅方向の中央付近に設けられた庫内照明装置１５から照射される光（照射角は約１２０度）によって、庫内棚１０の左右両側に載置された食品は、主にその食品の上面及び一側面を斜め上方から照らされる。これに対して、庫内棚１０の中央付近に載置された食品は、主に上面をほぼ真上から照らされる。このことから、庫内棚１０の左右両側に載置された食品と比べて、中央付近に載置された食品は、視覚的に暗く見える。
【００４１】
本実施例では、反射部材１４の幅寸法を庫内照明装置１５の幅寸法よりも小さくすることで、反射部材１４に反射された光を、主に庫内棚１０の中央付近に載置された食品を集中して照射する。これにより、庫内棚１０の中央付近の食品は上方からだけでなく、後方からも照らされ、左右両側に載置された食品（上方及び側方から照らされる）の明るさに近づく。すなわち、庫内棚１０の中央よりに載置された食品と、庫内棚１０の左右いずれかの側に載置された食品との明るさが均等化され、使用者は視覚的に見易くなる。
【００４２】
次に、庫内棚１０の前方及び扉ポケット１１に収納されている食品を照射する例について説明する。庫内照明装置１５の前列１６ａに位置する発光ダイオード１６は、隙間Ｇの真上又は隙間Ｇよりも前方に位置している。庫内棚１０の前方及び扉ポケット１１に収納された食品は、隙間Ｇ付近を上方から下方に指向性を持って進む発光ダイオード１６の光に照らされる。すなわち、発光ダイオード１６から照射された光は、その一部が最上部の庫内棚１０の前方及び最上部の扉ポケット１１の収納食品を照射して、残りの光はそのまま下方に直進する。そして、二段目の庫内棚１０の前方及び二段目の扉ポケット１１の収納食品を照射して、さらに残りの光が下方に直進する。そして、三段目の庫内棚１０の前方及び三段目の扉ポケット１１の収納食品を照射する構成である。
【００４３】
以上のように構成された冷蔵庫について、庫内棚１０に載置された食品の照明について説明する。冷蔵室２に吹き出された冷気は、冷蔵室２内全域を冷却する。また、反射部材１４は、反射部材１４周囲にある食品を間接冷却する。尚、反射部材１４は、冷蔵室２を冷却する冷気により他に比較して低温に冷却されている。一方、左側冷蔵室扉６ａ又は右側冷蔵室扉６ｂを開放すると、庫内照明装置１５が点灯する。そして庫内照明装置１５は、冷蔵室２内の全域を照明するように作用する。
【００４４】
庫内照明装置１５を構成する後列１６ｂの発光ダイオード１６から出る光は、庫内棚１０最上段の最後部、及び幅方向の両側端を直接照らす。また、庫内棚１０の二段目，三段目の後方に位置する反射部材１４に反射して、食品を庫内背面側からも間接的に照らす。さらに、前列１６ａの発光ダイオード１６は、隙間Ｇを介して庫内棚１０の前方及び扉ポケット１１に向けて光を照射する。これにより、庫内照明装置１５は、冷蔵室２全域を明るく照らし、収納食品の位置を使用者に認識させることができる。
【００４５】
反射部材１４の上下方向の位置は、二段目，三段目の庫内棚１０の後方に位置している。なお、庫内棚１０が取り外し可能で、取り付ける高さを使用者が自由に調節できる冷蔵庫の場合、最上段の庫内棚１０の取り付け位置を下方に移動させることで、最上段の庫内棚１０の後方に反射部材１４が位置する。
【００４６】
以上のように本実施例は、扉ポケット１１及び庫内棚１０の前方は勿論、特に冷蔵庫上部、庫内棚１０後方、庫内背面等が良好に照らされることにより、収納食品の所在が明らかとなり、視認性を向上させるものである。
【実施例２】
【００４７】
図４は、本発明の実施例２に係る冷蔵庫の要部側断面図である。庫内照明装置１５を構成する実装基板１７の後列１６ｂの発光ダイオード１６は、最上段の庫内棚１０の後部が照らせるように、後方に向かって断熱材２０側に向かうよう傾斜させて設けている。これにより、１２０度という照射角を有する発光ダイオード１６の光が、最上段の庫内棚１０の後部に届き易くなるものである。
【００４８】
以上のように構成された冷蔵庫であると、発光ダイオード１６より出た光は、実装基板１７が傾斜している分（図４に示すＬ１寸法分）、庫内棚１０の後部上を照らすこととなる。これにより、庫内棚１０上の収納食品の視認性が向上する。
【００４９】
以上のように、実施例２の冷蔵庫によると、収納食品の量が少ないときには、収納食品に遮られることなく、冷蔵室２の最上段後方奥部の収納食品を効果的に照らし出すことができる。
【実施例３】
【００５０】
図５は、本発明の実施例３に係る庫内照明装置を構成する発光基板の説明図である。実装基板１７は、前列１６ａ，後列１６ｂの発光ダイオード１６のうち、後列１６ｂの発光ダイオード１６を、庫内背面方向に傾斜させたものである。
【００５１】
以上のように構成された冷蔵庫であると、発光ダイオード１６より出た光は、後列１６ｂの発光ダイオード１６が傾斜した分、庫内棚１０の後方を照らすこととなる。これにより、庫内棚１０上の収納食品の視認性が向上する。
【実施例４】
【００５２】
図６は、本発明の実施例４に係る庫内照明装置を構成する発光基板の説明図である。実装基板１７は、実装基板１７を前後に分割したものである。そして、分割した実装基板１７の後列１６ｂの発光ダイオード１６側を断熱材２０側に傾斜させて、庫内背面方向に向ける。
【００５３】
或いは、実装基板１７を分割せずに、実装基板１７を略Ｌ字状に折り曲げ、後列１６ｂの発光ダイオード１６側を断熱材２０側に傾斜させて、庫内背面方向に向ける。
【００５４】
以上のように、実施例４によれば、冷蔵室２の後方まで十分光を届けることができ、冷蔵室２全体の収納食品に庫内照明を当てることができるものである。
【実施例５】
【００５５】
図７は、本発明の実施例５に係る実装基板の取り付け構造を説明する図である。図８は、図７に示す庫内照明装置から照射カバーを外し、矢印Ｐ方向より見た図である。図９は、図７に示す弾性爪の詳細構造を示す図である。本実施例は、他の実施例と同様に、庫内照明装置１５は発光ダイオード１６を有する。
【００５６】
発光ダイオード１６が実装された基板は、庫内奥行き方向に前後に二分割され、前列実装基板１７ａと、後列実装基板１７ｂを有する。前列実装基板１７ａ及び後列実装基板１７ｂは、それぞれ前列１６ａ，後列１６ｂの発光ダイオード１６が複数設けられている。
【００５７】
前列実装基板１７ａ及び後列実装基板１７ｂは、基板収納部２１の天井面２１ａに設けられた係止手段である前側弾性爪２９及び後側弾性爪２２によってそれぞれ固定される。基板収納部２１は、庫内側にカバー１８が設けられており、また、基板収納部２１は、天井面１９を断熱材２０側に窪ませて形成した凹部に埋め込まれるように設置されている。
【００５８】
基板収納部２１は、前列実装基板１７ａ及び後列実装基板１７ｂを取り付けることができる大きさを有する他、断熱材２０を窪ませて作った空間に、基板収納部２１の一部が埋め込まれるよう取り付けられている。更に、この基板収納部２１の天井面２１ａは、冷蔵室２の天井面１９と略平行となるよう構成されている。また、この基板収納部２１の大きさは、前述の実施例にて説明した如く、二分割された実装基板１７が冷蔵室２内全域を照射するのに必要な奥行き寸法Ｌ２とする。
【００５９】
後側弾性爪２２及び前側弾性爪２９は、基板収納部２１と一体に構成される場合がある。一体に構成する場合、基板収納部２１を樹脂材で構成して、後側弾性爪２２及び前側弾性爪２９を同時成形することができる。後側弾性爪２２及び前側弾性爪２９は、図９に示す如く、前列実装基板１７ａ及び後列実装基板１７ｂを基板収納部２１の天井面２１ａとの間に保持する保持部２３を有する。また、この後側弾性爪２２は、先端に掛け部２２ａを有し、保持部２３に取り付けられた前列実装基板１７ａ及び後列実装基板１７ｂが抜け落ちるのを防止する。更に、後側弾性爪２２及び前側弾性爪２９の掛け部２２ａは、図９の破線の如く基部２２ｂを支点として、開口部２４を開き、実装基板１７を矢印Ｐ１方向より保持部２３内に挿入して取り付ける。
【００６０】
この後側弾性爪２２及び前側弾性爪２９は、図８にも示す如く、互いの開口部２４が間隔Ｌ１をもって向かい合うように基板収納部２１に設けられている。この間隔Ｌ１は、前列実装基板１７ａ及び後列実装基板１７ｂの夫々の幅寸法Ｗより大きく構成されており、前列実装基板１７ａ及び後列実装基板１７ｂは間隔Ｌ１を通して保持部２３内に組み付け、取り外すことができるように構成されている。
【００６１】
後側弾性爪２２及び前側弾性爪２９に取り付けられた前列実装基板１７ａ及び後列実装基板１７ｂと庫内棚１０間の寸法Ｌ３は、重要な寸法となる。すなわち、図７に示すＬ３寸法（最上段の庫内棚１０と庫内照明装置１５との間の高さ距離）が小さくなると、前列実装基板１７ａ及び後列実装基板１７ｂ上の発光ダイオード１６が照射できる範囲（奥行き方向，幅方向の寸法）が変わる。従って、庫内照明装置１５の取り付けにより、Ｌ３寸法を小さくしないための工夫として、本実施例の場合、基板収納部２１の一部を断熱材２０側に埋め込み、基板収納部２１の天井面２１ａとの間に保持部２３を設けるようにしている。
【００６２】
また、後側弾性爪２２に後列実装基板１７ｂを挿入する方向が矢印Ｐ１方向であることで、弾性爪の高さ寸法Ｌ４（図９参照）を小さくできる。すなわち、一枚の実装基板１７を、一対の向かい合う略Ｌ字形状の弾性爪と略逆Ｌ字形状の弾性爪との間に下方から挿入する方法では、弾性爪の弾性変形が必要なため、Ｌ４寸法を大きくしなければならず、庫内照明装置１５の高さ寸法が大きくなってしまう。
【００６３】
本実施例では、前列実装基板１７ａ及び後列実装基板１７ｂは、それぞれ略Ｌ字形状の後側弾性爪２２及び前側弾性爪２９に水平方向に挿入する構造としたことで、庫内照明装置１５の上下高さ方向の寸法を大きくすることなく取り付け可能とされている。
【００６４】
なお、前列実装基板１７ａの挿入方向は図示しないが、矢印Ｐ１とは逆方向に挿入する。前側弾性爪２９は後側弾性爪２２とは前後方向に対称に設けられているためである。
【００６５】
また、長方形の実装基板を、一対の向かい合うＬ字形状の弾性爪と逆Ｌ字形状の弾性爪との間に、実装基板の短寸法側から、庫内幅方向にスライド挿入する構造でも、庫内照明装置１５の上下高さ方向の寸法を大きくすることなく取り付け可能である。
【００６６】
また、前側弾性爪２９と後側弾性爪２２ｂとは、図７に示す如く、互いの開口部２４が向かい合うように基板収納部の天井面２１ａに一体に設けられている。後側弾性爪２２及び前側弾性爪２９の開口部２４の間には、間隔Ｌ１が設けられている。組み立て時、この間隔Ｌ１を利用して、前後それぞれの開口部２４から水平方向に前列実装基板１７ａ及び後列実装基板１７ｂを保持部２３内に挿入し固定する。換言すると、前列実装基板１７ａ及び後列実装基板１７ｂの夫々の幅寸法Ｗより間隔Ｌ１の方が大きいということである。
【００６７】
ここで、後側弾性爪２２と前側弾性爪２９との間の寸法Ｌ１が大きい方が、発光ダイオード１６の照射範囲は広くなる。このことから、後側弾性爪２２及び前側弾性爪２９は、基板収納部２１の奥行き寸法Ｌ２内において、照射角が１２０度であることを考慮して、最大の照射範囲を得られる位置に設けられている。
【００６８】
左側冷蔵室扉６ａ及び右側冷蔵室扉６ｂの開放時、前列１６ａは、主に庫内棚１０の前方部を照らす。また、左側冷蔵室扉６ａ，右側冷蔵室扉６ｂが左右一対の観音開き扉であり、一方の扉が閉じている状態であれば、扉ポケット１１も照らす。更に、観音開き扉のうち、一方の扉が閉じている場合、隙間Ｇ（図７参照）を介すことで光を遮る物がなくなり、庫内棚１０前方と扉ポケット１１の全段及び冷蔵室２の最下方部を照らすことができる。
【００６９】
基板収納部２１内に実装基板１７を取り付けた後、基板収納部２１の下方開口を覆うカバー１８は、その表面にローレット（凹凸形状）が設けられており、照射角度を広くしている。
【００７０】
実装基板１７は、先にも説明した如く、庫内奥行き方向に前後に分割され、前列実装基板１７ａには、四個の発光ダイオード１６が、また、後列実装基板１７ｂにも四個の発光ダイオード１６が設けられている。
【００７１】
この発光ダイオード１６は、図４等に示すものとは異なり、実装基板１７の厚み内に納められている。なお、この発光ダイオード１６の照射角も１２０度とされている。
【００７２】
前列実装基板１７ａ側に設けられた前側コネクタ２５と、後列実装基板１７ｂ側に設けられた後側コネクタ２６とが、互いに向かい合うように配置されることで、コネクタ間を結線するケーブルの長さを短くできる。また、４Ｐコネクタにより結線することにより、図８にも示す如く、一回路で結線を可能とし、誤配線等をなくすことができる。
【００７３】
なお、電源コード２７は、前側コネクタ２５を介して前列実装基板１７ａ，後列実装基板１７ｂに電気を供給するコードである。電源コード２７は、基板収納部２１に設けたコード引き出し口２８から、断熱材２０内を通して基板収納部２１内に引き出している。
【００７４】
かかる構成を有する冷蔵庫において、冷蔵室２の扉を開けると、庫内照明装置１５は次のように冷蔵室２内を照明する。すなわち、後列１６ｂの発光ダイオード１６が、最上段の庫内棚１０上面並びに両側端の上面を照射することができるよう構成されているので、最上段の庫内棚１０に収納された収納食品には、発光ダイオード１６の光が直接当たる。
【００７５】
一方、最上段以外の庫内棚１０の奥部の照明には、冷蔵室２の背壁に設けた反射部材１４が、上記実施例の如く作用する。すなわち、庫内照明装置１５より照射された光が、反射部材１４に届くと、反射部材１４により反射され最上段以外の庫内棚１０の奥部を照明する。後列実装基板１７ｂは、当該作用をする位置に取り付けられている。
【００７６】
さらに、前列実装基板１７ａは、扉ポケット１１と庫内棚１０との突合せ部に設けられている隙間Ｇ上に設けられ、この前列発光ダイオード１６より出た光は、隙間Ｇを介して扉ポケット１１と庫内棚１０の前方を照射する。
【００７７】
このように、前列１６ａ，後列１６ｂに配置した発光ダイオード１６により、冷蔵室２内は、冷蔵庫が設置された環境が暗くても、冷蔵室２全域が照明されて視認性を向上するものである。
【００７８】
一方、前列実装基板１７ａ及び後列実装基板１７ｂの点検・サービス時には、庫内照明装置１５からカバー１８を取り外した後、まず一例として前列実装基板１７ａをＬ１方向にスライドさせて、掛け部２２ａを広げて開口部２４を拡大し、前列実装基板１７ａ及び後列実装基板１７ｂを保持部２３より取り外す。
【００７９】
次いで、後列実装基板１７ｂを同じようにＬ１方向にスライドさせて、掛け部２２ａを広げて開口部２４を拡大し、後列実装基板１７ｂを保持部２３より取り外す。
【００８０】
なお、この時、前列実装基板１７ａ及び後列実装基板１７ｂより前側コネクタ２５，後側コネクタ２６は外しておくものである。
【００８１】
本発明は以上説明した如き構成を有するものであるから、次のような効果が得られるものである。すなわち、複数個設けた扉ポケットと複数枚設けた庫内棚との突合せ部に上段から下段にわたって１０〜５０mm前後の間隔をとり、且つ庫内天井面に庫内照明装置を設置し、該庫内照明装置を構成する実装基板に発光ダイオードを前後二列に設け、前列で扉ポケット及び庫内棚前方を照射し、後列で庫内棚後方奥部を照射するようにしたものである。
【００８２】
かかる構成によると、扉ポケット及び庫内棚前方は勿論、特に冷蔵庫最上段等は良好に照らされ、収納食品の所在が明らかとなり、食品の出し入れを容易にするものである。
【００８３】
さらに、実装基板のサービス時等にはカバーを外し、係合手段に力を加えれば容易に実装基板を外すことができる。
【００８４】
また、発光ダイオードの照射角を１２０度とすると共に、庫内棚最上段の奥行き方向，幅方向、全てを照射することができる位置に、庫内照明装置を設けるようにしたものである。かかる構成によると、特に収納食品の量が少ないときには、食品に邪魔されることなく冷蔵室最上段の庫内棚上の収納食品を効果的に照らし出すことができる。
【００８５】
また、庫内背面に取り付けられた冷気ダクト形成用の化粧パネルに、庫内照明装置の幅寸法より小さい幅を持つ反射板となる金属板を設け、発光ダイオードから照射された光が反射板を利用して上段から二段及び三段目の庫内棚の奥部にある食品に光を届くようにしたものである。
【００８６】
かかる構成によると、庫内照明装置の光が収納食品等に邪魔されて直接上方より受けられなくとも、金属板を介して後方より間接的に光を受けることができるので、収納食品が見えないということがないものである。
【００８７】
また、反射板となる金属板の幅寸法は、庫内照明装置の幅以内であり、縦寸法は庫内棚二段分以下としたものである。かかる構成によると、上からの光が当たりにくい所にある収納食品に、後方より光を当てることができ、意匠効果を兼ね効果的な金属板の使い方とすることができる。
【００８８】
また、後列の発光ダイオードが取り付けられた実装基板を、冷蔵室内後方に光が届くように傾け、庫内棚最上段の奥行方向最後部に光が届き易いようにしたものである。かかる構成によると、特に冷蔵室の後方まで十分光を届けることができ、冷蔵室全体の収納食品に庫内照明を当てることができるものである。
【００８９】
また、弾性爪の開口部を基板収納部に間隔Ｌ１を設けて向かい合うように設けると共に、前後に分割した実装基板を上記間隔Ｌ１を利用して弾性爪の開口部より保持部内に組み込み隙間Ｇを介して、前列の実装基板で扉ポケット及び庫内棚前方を照射し、後列の実装基板で庫内棚の後方奥部を照射するようにしたものである。
【００９０】
かかる構成によると、二分割された実装基板で冷蔵室内全域を照射するのに、基板収納部の奥行き寸法Ｌ２を最小とすることができる他、扉ポケット及び庫内棚前方は勿論、特に冷蔵庫最上段等は良好に照らされ収納食品の収納場所が分かり、食品の出し入れを容易にするものである。
【００９１】
なお、前側弾性爪と後側弾性爪を互いに向かい合わせにしない構成の場合、例えば、前側弾性爪の開口部を前側に向けた場合、後側弾性爪を後方に移動させて、前側弾性爪の前側のスペースを確保することで、実装基板の取り付け作業をし易くする必要がある。これによって、間隔Ｌ１が小さくなり、発光ダイオードの庫内への照射範囲が狭くなってしまう。
【００９２】
そこで、本実施例は、基板収納部２１内において、前後に分割した前列実装基板１７ａと後列実装基板１７ｂとの間の前後方向の間隔を、庫内へ満遍なく照射する照射範囲、及び基板の取付作業性を向上する、最良の間隔としている。
【００９３】
また、前後に二分割された実装基板同士の間隔は、基板収納部２１内において、前列及び後列の発光ダイオードの光により扉ポケット１１と庫内棚１０奥部を満遍なく照射できる間隔とした。
【００９４】
かかる構成によると、冷蔵室天井面と庫内棚最上段間の距離を特別大きくとることなく最上段庫内棚全域に光が当て易くなることは勿論、電源コードの長さの短縮化が図れ、更に誤配線等をなくすことができるものである。
【符号の説明】
【００９５】
１  冷蔵庫本体
２  冷蔵室
６ａ  左側冷蔵室扉
６ｂ  右側冷蔵室扉
１０  庫内棚
１１  扉ポケット
１２  冷蔵室パネル
１３，１４ａ  冷気吹き出し口
１４  反射部材
１５  庫内照明装置
１６  発光ダイオード
１６ａ  前列
１６ｂ  後列
１７ａ  前列実装基板
１７ｂ  後列実装基板
１８  カバー
１９  天井面
２０  断熱材
２１  基板収納部
２１ａ  天井面
２２  後側弾性爪
２２ａ  掛け部
２３  保持部
２４  開口部
２５  前側コネクタ
２６  後側コネクタ
２７  電源コード
２８  コード引き出し口
２９  前側弾性爪
【図１】
2011027322.tif 000003
【図２】
2011027322.tif 000004
【図３】
2011027322.tif 000005
【図４】
2011027322.tif 000006
【図５】
2011027322.tif 000007
【図６】
2011027322.tif 000008
【図７】
2011027322.tif 000009
【図８】
2011027322.tif 000010
【図９】
2011027322.tif 000011